(57)【要約】      （修正有）【課題】一般家庭で容易にアースをとることができ，更に、環境が変化しても安定した出力を維持できるマイナス電子電位治療器を提供すること。【解決手段】人体の皮膚に接触させることによりマイナス電子が印加される治療電極体を具備したマイナス電子電位治療器であり，一般家庭用の交流１００Ｖのコンセントの大地アース側を自動的に検出する回路を設け，アースを取る。又，生体イオンメーターと出力を調整できる出力調整メーターを設ける。【選択図】図１
2004195142.tif 000002
【特許請求の範囲】
【請求項１】
被治療体である人体に、治療マイナス電子が印加される治療電極体との間に形成されるコンデンサを有して、人体に対してマイナス電子を負荷して治療を行うマイナス電子負荷装置であって、この装置は治療直流電位を発生する電位発生器と、大地アースを取るための回路を有し、並びに人体に正確にマイナス電子が負荷されているか確認できる生体イオンメーターと、出力が調整できる出力調整メーターを有し、人体の皮膚に接触させることによりマイナス電子が印加される治療電極体を具備したことを特徴とするマイナス電子電位治療器。
【請求項２】
特許請求の範囲「請求項１」に記載のマイナス電子負荷装置において、一般家庭用１００ボルトコンセントの大地アース側を自動的に検出する回路を有していることを特徴とするマイナス電子電位治療器。
【請求項３】
特許請求の範囲「請求項１」に記載のマイナス電子電位負荷装置において人体に与えるマイナス電子の量を調整する装置を有していることを特徴とするマイナス電子電位治療器。
【請求項４】
特許請求の範囲「請求項１」に記載のマイナス電子電位負荷装置において人体の皮膚に接触させる治療電極体のマイナス電子負荷方法は、直流であり交流成分（リップル）が含まれない完全に近い直流の出力を人体に与えるマイナス電子電位治療器。
【請求項５】
特許請求の範囲「請求項１」に記載のマイナス電子負荷装置において、気候条件や温度、湿度や大地より遠い家庭の二階やマンションでの治療時に大きく変化する与えられたマイナス電位を生体イオンメーターで確認し、出力メーターで調整できることを特徴とするマイナス電子電位治療器。
【発明の詳細な説明】
【０００１】
【発明の属する技術分野】
本発明は、電位治療におけるマイナス電子電位治療器に関するもので、治療時における人体を絶縁状態におき交流成分（リップル）の含まれない直流の出力を調整ができ、人体をコンデンサーの状態において治療し、感電の危険性を取り除くため、マイナス電子電位治療器出力側に保護抵抗を有している極めて安全性の高いマイナス電子電位治療器である。
【０００２】
【従来の技術】
マイナス電子電位治療器や静電位治療器は、５０年前頃より健康増進を目的として、人体にマイナス電位を直接皮膚に接触させ健康増進や予防医学を目的として、１００ボルトから３０００ボルトのマイナス電子を人体に与える負静電位治療器が広く利用されている。最も一般的な従来の交流式電位治療器は、人体を絶縁した状態において高圧電気のエネルギー変動電場（変動電磁場）を人体に作用させる治療器である。その他の治療器（超短波・低周波・高周波）は、それぞれ特徴を持った治療方法で人体に健康増進の目的として製造販売されている。
【０００３】
【発明が解決しようとする課題】
しかし近年上記交流式電位治療器があたかも人体にマイナス電子作用があるとして販売されているが、変動電場（変動電磁場）を人体に負荷しても人体はマイナス電子の持つ作用は起こりません。第２図に、交流式電位治療器の示す如く、電位発生器Ａで発生した高圧電位を電床マットＢで変動電場（変動電磁場）の電圧（電界）を人体に負荷する方法が一般的な治療方法であるため、人体にマイナス電子作用は一切起こらない。
【０００４】
負電位負荷（マイナス電子）治療器は、第１図に示す如く、負電位発生器ａで発生した負電位を出力メーターｆを見ながら人体に与える負電位の出力を調整する。しかし負電位治療器の欠点である人体と大地アースの間に距離があると指定された治療（例えば３００ボルト）が極端に１００ボルト前後も落ちてしまい、治療効果がうすれてしまう。そのため、ｆの生体イオンメーターで調整出来るような構造になっている。さらに漏れ電流メーターで人体が完全に絶縁されているかどうかの確認が出来ない。つまり、人体が完全に絶縁されていないと、例えば３００ボルトで治療していても負電位は人体を通ってそのまま大地アースに流れてしまうため、治療効果がない。負電位が人体に与える負電位の量や、人体とアース間の距離によって減衰する負電位の確認又は、調整が出来ないための問題点である。
【０００５】
本発明は、上記従来例の問題点を解決するために研究開発されたものであり、人体にマイナス電子を与えて治療する治療器の問題点を解決し、更に交流高圧電位治療器（変動電場・変動電磁場）が人体にマイナス電子効果を与えないのに対して、本発明は確実に規則正しく人体にマイナス電子を発生増加させるマイナス電子電位治療器である。
【０００６】
【課題を解決するための手段】
本発明は、被治療体である絶縁された人体とマイナス電子が印加される治療電極体との間に、コンデンサー理論に基づく人体にマイナス電位を与えて治療を行うマイナス電位治療器であって、本発明の装置は直流であり交流成分（リップル）が含まれない完全な直流を人体に負荷するマイナス電位発生器と、人体の皮膚に直接接触させる治療電極を備え、電源を入れると自動的に家庭用電源コンセントのアースを検出する装置を備え、更に人体に与えられたマイナス電子を測定するマイナスイオン測定機能を持っているため、欠点とされていた治療時に人体と大地アース間の距離による負電位負荷の減衰も調整出来るメーターと回路を具備したことを特徴とする治療マイナス電子電位治療器である。
【０００７】
【発明の実施の形態】
第３図は、本発明の治療マイナス電位負荷装置の原理を示すものである。図に於いて１は電位発生器であって大地アースを自動的に検出出来る極性感知部回路２と、人体に与える電位出力を調整出来るメーターと回路３を備え、更に人体に与えた電位を確認できるメーターと回路４を有し、人体と大地アース間や治療環境における負電位負荷の減衰を調整出来る回路を備えている。電位治療のための電位は出力端子５から出力される。
【０００８】
上記のように構成された本発明のマイナス電子電位治療器で、マイナス電位治療を実施する場合は、出力端子５より出力された先端の治療導子を人体の皮膚に直接接触させて治療するのが特徴で、マイナス電子を十二分に人体に与えるために、本体内部で完全に大地アースを取り、人体を絶縁状態にすることによって被治療体との間にコンデンサーが形成され、マイナス電子が人体の深部全体に治療効果を与えるマイナス電子電位治療器である。
【０００９】
交流１００ボルトから大地アース極性感知部２により本体の電源が入り、操作が出来る出力表示メーター３の調整により必要なマイナス電位を設定し、治療時間を任意に設定すると、出力端子にマイナス電子が与えられる。次に絶縁された人体に指定されたマイナス電位が負荷されているかどうかを生体イオンメーター４で確認しながらマイナス電位負荷の調整が出来ることを特徴とするマイナス電子電位治療器である。
【０００１０】
【実施例】
以下、本発明を図示した実施例に基づいて詳説する。図４は本発明の一実施例に係わるマイナス電子電位治療器の概略図と外観図である。
【０００１１】
図中符号１は装置本体、２は交流電源１００Ｖを直接１２Ｖに変換するスイッチング電源、３は変換された直流１２Ｖをさらに直流０〜５００Ｖに変換する高圧トランス、４は電圧電源装置から発生するノイズ又は電磁波を遮断するケース、５は出力メーターアンプ回路、６は生体イオンチェッカー回路、７は全体をコントロール（制御）するコンピューター回路、８は操作パネル、９は電源確認ランプ、１０は電源スイッチ、１１はアース確認スイッチ、１２は出力調整ボリューム、１３は出力確認メーター、１４は操作電源スイッチ、１５はタイマー指定スイッチ、１６は治療開始スイッチ、１７は残り時間表示、１８は生体イオン確認メーター、１９は治療出力コネクター、２０は生体イオン確認ジャック（端子）以上の機構によって構成されたマイナス電子電位治療器である。
【０００１２】
出力コネクターより導線によって出力端子に出力される。治療時に正確に人体にマイナス電子が与えられているか、又は、正確な出力が与えられているかどうかをチェックするために、２０のチェック端子に触れると１８のチェックメーターが正確なマイナス電位を表示する。しかし、絶縁性の悪い絶縁マット上で治療すると、人体に与えられたマイナス電子がアースとして大地に流れてしまうため、チェックメーター表示は指定の出力より下がって表示する。更に、治療環境、温度、湿度によっても人体に与えられたマイナス電子が人体より放電されるために、指定された出力より大幅に下がってしまうことをチェックメーターで知る事ができ更に、修正出来る事を特徴としているマイナス電子電位治療器である。
【００１３】
【発明の効果】
以上述べたように、本発明によるマイナス電子電位治療器は、従来のものでは大地アースを取る場合も、一般家庭ではまだまだアース接続端子等が普及されていないため非常に困難であるため、大地アースを交流ＡＣ１００ラインからアースが取れる回路を有している。
【００１４】
従来の治療静電位負荷電位治療器は、人体の絶縁が不完全だと人体に負荷した電位がアースに流れ、治療効果がうすくなることを完全に本体が大地アースを取ることにより、多少の人体絶縁が悪くとも十二分に人体に負電位を与えることが出来る。更に従来の静電位負荷治療器や負電位負荷治療器が解決できなかった大きな問題点である、治療時の温度、湿度によって人体に与えた電位を調整できなかったために治療効果がない人が多く、この問題の解決が出来なかった。
【００１５】
本発明の装置はこの問題点を解決している。例えば、治療電位を３００ボルトにしても湿度が６５％〜８０％、更に大地より離れた二階の部屋やマンションの高い部屋などでは、３００ボルトが２００ボルト以下まで治療電位が落ちてしまうが、本発明装置は生体イオンチェック機能により治療時の出力を確認し、出力の調整ができる実用上極めて有用なものである。
【図面の簡単な説明】
【図１】本発明によるマイナス電子電位治療器の原理図。
【図２】従来の電位治療器の原理。
【図３】本発明のブロック図。
【図４】マイナス電子電位治療器の回路の構成図。
【符号の説明】
Ａ  マイナス電子電位治療器
Ｂ  治療導子
Ｃ  絶縁マット
Ｄ  導線
Ｅ  出力メーター
Ｆ  生体イオンメーター
Ｇ  電位発生器
Ｈ  電床
１  装置本体
２  スイッチングトランス
３  高圧トランス
４  高圧トランス用保護ケース
５  出力メーターアンプ回路
６  生体イオンチェッカー回路
７  コンピューター回路
８  操作パネル
９  電源確認ランプ
１０  電源スイッチ
１１  アース確認スイッチ
１２  出力調整ボリューム
１３  出力確認メータ
１４  操作電源スイッチ
１５  タイマースイッチ
１６  治療開始スイッチ
１７  治療残り時間表示
１８  生体イオン確認メーター
１９  治療出力コネクター
２０  生体イオン確認ジャック（端子）
【図１】
2004195142.tif 000003
【図２】
2004195142.tif 000004
【図３】
2004195142.tif 000005
【図４】
2004195142.tif 000006